(57)【要約】【課題】シート素材（原反）にエンボス模様を付したときに出来る凸模様（膨らみ部）に高低差を付けて光の反射による意匠の面白さが得られ、凹凸模様を付加させて触感や意匠性をより高め得るようにした座席シート生地を提供する。【解決手段】本発明に係る座席シート生地は、表面にエンボス型枠を用いてエンボス模様を形成した座席シート生地において、前記エンボス模様の凸模様（膨らみ部）に対応するエンボス版の内底面に高低差または傾斜角の差を設けて光沢の差すなわち光の反射光の差による表面に微妙な変化を有する面白みのある特異な意匠が発揮できるように構成した。【選択図】図１
2017113937.tif 000002
【特許請求の範囲】
【請求項１】
表面にエンボス型枠を用いてエンボス模様を形成した座席シート生地において、前記エンボス模様の凸模様部に対応するエンボス型枠の内底面に高低差または傾斜角の差を設けたことを特徴とする座席シート生地。
【請求項２】
表面にエンボス型枠を用いてエンボス模様を形成した座席シート生地において、前記エンボス模様の凸模様部に対応するエンボス型枠の内底面に文字又は模様からなる凸版を設けたことを特徴とする座席シート生地。
【発明の詳細な説明】
【技術分野】
【０００１】
本発明は、表面のエンボス模様の凸模様部に変化を与えることも触感や意匠性を更に増幅させることもできる座席シート生地に関するものである。
【背景技術】
【０００２】
一般に、自動車・航空機・列車又は家庭用の応接セットなどの座席シートは、内装の中で大きな外観を占めるパーツであり、特に、デザインが重要である。そこで、シート素材にエンボス模様（凸模様と凹模様）を付したものが多い。この技術として特開２０１３−５９８８１号公報がある。これは加熱されたエンボスロールとその受けロール間に長尺材（シート素材）を通してエンボス模様を付すようにしたものである。このエンボス模様には触感や意匠性を高める効果がある点で優れていた。
【特許文献１】特開２０１３−５９８８１号公報
【発明の開示】
【発明が解決しようとする課題】
【０００３】
しかしながら、特許文献１のものは、エンボスロールのベース面（エンボス型の内底面）にはシート素材が接触しないようにしていた。これはエンボスロールのベース面がシート生地に接触すると、その面に変色や劣化が表れることを恐れたためであると考えられる。従って、特許文献１の場合には、エンボス模様の凸模様（膨らみ部）に対応するエンボス型枠の内底面に高低差を設けることや文字又は模様からなる凸版を設けることはできないものであったため、シート素材にエンボス模様の凸模様部（膨らみ部）が広い場合でも、ここに模様を付すことができず、エンボス模様の効果である触感や意匠性を高める効果が薄れたばかりでなく、面白みも意外性もない平凡な柄（模様）になってしまっていた。
【０００４】
本発明は、上記の点に鑑み案出したもので、シート素材（原反）にエンボス模様を付したときに出来る凸模様部（膨らみ部）に高低差を設けて光の反射による意匠のグラデーションが得られるようにするとともに凹凸模様を付加的に付けて触感や意匠性をより高め得るようにした座席シート生地を提供することにある。
【課題を解決するための手段】
【０００５】
上記目的を達成するため、請求項１に係る座席シート生地は、表面にエンボス型枠を用いてエンボス模様を形成した座席シート生地において、前記エンボス模様の凸模様部に対応するエンボス型枠の内底面に高低差または傾斜角の差を設けたことを特徴とし、光沢差や反射光差による表面に微妙な変化を有する面白みのある特異な意匠が発揮できるように構成した。
【０００６】
また、請求項２に係る座席シート生地は、表面にエンボス型枠を用いてエンボス模様を形成した座席シート生地において、前記エンボス模様の凸模様部に対応するエンボス型枠の内底面に文字又は模様からなる凸版を設けたことを特徴とし、会社名や社標（ロゴマークなど）やその他のマークを付すなどしてエンボス模様の凸模様に加えて触感や意匠性を更に高められるように構成した。
【発明の効果】
【０００７】
請求項１に係る発明によれば、エンボス模様の凸模様（膨らみ部）が高い方と低い方では伝熱量の差による光沢差や反射差が自然に出るようになる。また、エンボス模様の凸模様（膨らみ部）の傾斜角を段階的にかえることにより光沢差や反射差による意匠のグラデーション効果に変化を持たせることができる。このように、エンボス型枠の内底面の高低差または傾斜差を付けたことによりシート生地に光沢差や反射差による面白さや意外性を生じさせることが可能になるというと優れた効果を奏するものである。
【０００８】
また、請求項２に係る発明によれば、エンボス模様の膨らみ部に対応する部分に必要な空間ができることを見越し、社名や社標その他の象徴的なマークなどを施し、エンボス模様の効果である触感や意匠性をより高めることができるという優れた効果を奏するものである。
【発明を実施するための最良の形態】
【０００９】
次に、本発明の実施の態様について図面を参照して説明する。図１は本願シート生地を加工するためのエンボス型枠の分解断面図、図２は本願シート生地の加工前の原反の拡大断面図、図３はエンボス型枠の作動時の断面図、図４は本願シート生地の凸模様（膨らみ）に高低差を作成した状態を示す斜視図、図５はエンボス版の凹部の深さの差を示した断面図、図６はエンボス版の凹部の内底面に凸版を設けた場合の断面図である。
【００１０】
本願シート生地１は、図２に示すシート素材（原反）２の表面に、たとえば、図４の如く、エンボス模様（凸模様３、凹模様３′）を付してなるもので、通常では、図１に示すエンボス型枠４を用いて加工される。
【００１１】
前記エンボス型枠４は、エンボス版４１と、加熱手段（図示せず）を内蔵したシート素材２の受け台４２と、同様に加熱手段（図示せず）を内蔵した加熱器４３と、この加熱器４３を矢印の如く下向きに押圧する加圧器４４とからなる。このエンボス版４１には、その下面に、図１の如く、多数個の凸部４１′が設けられている。この多数個の凸部４１′の配置、高低差及び幅広幅狭によりエンボス模様のデザインが決定される。
【００１２】
前記加圧器４４により加熱された加熱器４３を、矢印の如く、下向きに押してエンボス版４１を、シート素材２にクッション材４５を介して加熱された受け台４２に強く押し付けると、シート素材２の表面は、図３の如く、エンボス加工される。この場合、シート素材２と受け台４２との間に介装したクッション材４５は変形するため、エンボス版４１の凸部４１′と凸部４１′との間（以下、凹部４１″）に入り込むことから、該凹部４１″の隅角部ａにもシート素材２を喰い込ませることができ、図４の如く、凸模様の角部がシャープになる。
【００１３】
前記シート素材２は、図２の如く、表層２ａ、中層（クッション層）２ｃ、裏張層２ｂとからなることが多い。また、表層２ａは、大きく分けて布系（ファブリック系）か、革系（レザー系）があり、ファブリック系には天然繊維または合成繊維による編み物や織物などがある。また、レザー系は合成皮革も含まれる。さらに、シート素材２は、車種や想定される用途によってふさわしいものが選択される。たとえば、中層２ｃの材質が「ふわふわ」なものか、「固め」のものかが選択される。
【００１４】
前記エンボス版４１は、前記加熱器４３を介して加圧器４４の押圧を受けると、前記シート素材２の表層２ａにはエンボス版４１の下面に配置した多数個の凸部４１′により押込まれて、図４の如く、凹模様（凹み）３′を形成する。一方、凹部４１″に対応する部分には凸模様（膨らみ部）３を形成する。この場合、凸模様（膨らみ部）３を形成するエンボス版４１の下面の凹部４１″の内底面はシート素材２の当接面になっている。
【００１５】
前記凹部４１″の深さは、深い部分Ａと浅い部分Ｂを設けることがある。前記深い部分Ａでは、図４の如く、凸模様（膨らみ部）３が高くなり、浅い部分Ｂでは、凸模様（膨らみ部）３が低くなる。この凹部４１″は、図５の如く、高低差Ｃとして表れる。もちろん、深い部分Ａも浅い部分Ｂも幾段階にも分かれるようにしても良い。
【００１６】
前記凸模様（膨らみ部）３でも、「高い部分」と「低い部分」では加熱器４３からの伝熱差がでるため、表層２ａの表面には光沢差が表れる。たとえば、高い膨らみ部ではもともと存在した光沢（輝き）が多少落ち、低い膨らみ部では光沢（輝き）が残る。つまり、シート素材２の表面の光沢（反射光）の差が微妙に変化し、面白みのある意匠が標出されるようにてっている。もちろん、傾斜差による変化を与えることも可能である。
【００１７】
前記シート素材２の当接面となる凹部４１″の内底面には、図６の如く、文字又は模様を含む凸版５を設けてもよい。該凸版５は前記凸模様（膨らみ部）３の上面に必要な模様、たとえば、社名や象徴的な図柄（エンブレム）を表すことができるようにしている。換言すれば、会社名や社標（ロゴマークなど）その他を付すことにより本願シート生地１の触感や意匠性を更に向上させることができる。
【００１８】
次に、本願シート生地１の作用について説明する。まず、本願シート生地１の用途に合わせたシート素材２を、図２の如く、用意し、受け台４２上にクッション材４５を介して、図１の如く、平らに広げる。しかして、前記加圧器４４を矢印方向に可動して加熱器４３とともに、エンボス版４１を下降させると、該エンボス版４１の凸部４１′と凹部４１″の作用でシート素材２は、図３の如く、変形され、表面にエンボス模様（凹凸模様）が施される。
【００１９】
前記凸部４１′に対応する個所は、シート素材２の表層２ａに強く押込まれ、凹模様３′に変形する一方、凹部４１″に対応する個所は、凸模様（膨らみ）３となる。この場合、凸模様（膨らみ部）３に高低差（または傾斜角の差）があればシート素材２の表面の光沢（反射光）の差が微妙に変化し、面白みのある意匠になる。また、該凹部４１″の内底面である原反当接面には凸版５を設けておけばその凸版５に対応する凸版模様（会社名や社標）が表される。
【産業上の利用可能性】
【００２０】
本願シート生地１は自動車業界、航空機業界、列車製造業界をはじめ、家具メーカーなどにおいても利用できる。また、自動車や航空機や列車などの座席ばかりでなく、自動車や航空機や列車や家屋のなどの壁面や天井面など広く応用できるものであり、産業上の利用可能性は至極高いものである。
【図面の簡単な説明】
【００２１】
【図１】本願シート生地を加工するためのエンボス型枠の分解断面図である。
【図２】本願シート生地の加工前の原反の拡大断面図である。
【図３】エンボス型枠の作動時の断面図である。
【図４】本願シート生地の凸模様（膨らみ部）に高低差作成した状態を示す斜視図である。
【図５】エンボス版の凹部の深さの差を示す断面図である。
【図６】エンボス版の凹部の内底面に凸版を設けた場合の断面図である。
【符号の説明】
【００２２】
１  本願シート生地
２  シート素材（原反）
３  凸模様（膨らみ部）
３′  凹模様（凹み部）
４  エンボス型枠
４１  エンボス版
４１′  凸部
４１″  凹部
４２  受け台
４３  加熱器
４４  加圧器
４５  クッション材
５  凸版
【図１】
2017113937.tif 000003
【図２】
2017113937.tif 000004
【図３】
2017113937.tif 000005
【図４】
2017113937.tif 000006
【図５】
2017113937.tif 000007
【図６】
2017113937.tif 000008
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
シート素材の表面にエンボス型枠を用いてエンボス模様を形成した座席シート生地において、
前記シート素材は、
内蔵する加熱手段により加熱された受け台と、加熱器により加熱された前記エンボス型枠との間で加圧され、表面が前記エンボス型枠の内底面に押込まれて当接させられることにより、前記エンボス型枠の内底面の高低差または傾斜角の差により生じる伝熱差に応じて光沢が変化した表層
を有することを特徴とする座席シート生地。
【請求項２】
前記エンボス型枠は、
内底面に文字または模様からなる凸版が設けられていることを特徴とする請求項１に記載の座席シート生地。
【請求項３】
シート素材の表面にエンボス型枠を用いてエンボス模様を形成する座席シート生地の生産方法において、
前記シート素材に対して、内蔵する加熱手段により加熱された受け台と、加熱器により加熱された前記エンボス型枠との間で加圧し、表面を前記エンボス型枠の内底面に当接させるように押込む工程と、
前記エンボス型枠の内底面の高低差または傾斜角の差により生じる伝熱差に応じて表層の表面の光沢を変化させる工程と、
を含むことを特徴とする座席シート生地の生産方法。
【手続補正３】
【補正対象書類名】明細書
【補正対象項目名】０００５
【補正方法】変更
【補正の内容】
【０００５】
上記目的を達成するため、一実施形態に係る座席シート生地は、シート素材の表面にエンボス型枠を用いてエンボス模様を形成した座席シート生地において、前記シート素材は、内蔵する加熱手段により加熱された受け台と、加熱器により加熱された前記エンボス型枠との間で加圧され、表面が前記エンボス型枠の内底面に押込まれて当接させられることにより、前記エンボス型枠の内底面の高低差または傾斜角の差により生じる伝熱差に応じて光沢が変化した表層を有することを特徴とし、光沢差や反射光による表面に微妙な変化を有する面白みのある特異な意匠が発揮できるように構成した。
【手続補正４】
【補正対象書類名】明細書
【補正対象項目名】０００６
【補正方法】変更
【補正の内容】
【０００６】
また、前記エンボス型枠は、内底面に文字または模様からなる凸版が設けられていることを特徴とし、会社名や社標（ロゴマークなど）やその他のマークを付すなどしてエンボス模様の凸模様に加えて触感や意匠性を更に高められるように構成してもよい。